(57)【要約】【課題】転写不良を抑制した良好な転写画像を得ることができる画像形成装置、画像形成システムおよび画像形成プログラムを提供する。【解決手段】画像不具合が発生する予め設定された位置またはタイミングに基づいて、帯電バイアス、現像バイアスおよび転写バイアスの少なくとも一つの電圧乃至電圧を変化させるように帯電バイアス電源１００、現像バイアス電源２００または転写バイアス電源７０を制御する制御手段（制御部３０）とを備える。【選択図】図３
2010122432.tif 000002
【特許請求の範囲】
【請求項１】
像保持体の表面を所定の電位に一様に帯電させる帯電手段と、
該帯電手段に帯電バイアスを印加する帯電バイアス電源と、
前記像保持体の表面を露光する露光手段と、
前記帯電手段により帯電された後に前記露光手段によって露光されて前記像保持体表面に形成された静電潜像を現像剤を用いて現像する現像手段と、
前記現像手段が所定の電位となるように現像バイアスを印加する現像バイアス電源と、
該現像された画像を被転写体に転写する転写手段と、
前記転写手段が所定の電位となるように現像バイアスを印加する転写バイアス電源と、
画像不具合が発生する予め設定された位置またはタイミングに基づいて、前記帯電バイアス、前記現像バイアスおよび前記転写バイアスの少なくとも一つの電圧乃至電流を変化させるように前記帯電バイアス電源、前記現像バイアス電源または前記転写バイアス電源を制御する制御手段と、
を備えることを特徴とする画像形成装置。
【請求項２】
前記制御手段は、
前記現像剤の見かけ上の現像濃度を上げるように前記現像バイアスの電圧を増加させることを特徴とする請求項１に記載の画像形成装置。
【請求項３】
前記制御手段は、
前記転写手段による画像転写の過多が抑制されるように転写バイアスの電圧乃至電流を低下させることを特徴とする請求項１または請求項２の何れかに記載の画像形成装置。
【請求項４】
前記転写手段による転写に先だって、前記像保持体上において前記現像剤で現像された画像を帯電させる転写前帯電手段と、
該転写前帯電手段に転写前帯電バイアスを印加する転写前帯電バイアス電源と、
をさらに備え、
前記制御手段は、
画像不具合が発生する予め設定された位置またはタイミングに基づいて、前記現像剤の電荷量が均一となるように前記転写前帯電バイアスの電圧乃至電流を増加させることを特徴とする請求項１から請求項３の何れかに記載の画像形成装置。
【請求項５】
前記被転写体は、厚手の用紙であることを特徴とする請求項１から請求項４の何れかに記載の画像形成装置。
【請求項６】
前記制御手段による制御は、高湿条件下で行われることを特徴とする請求項１から請求項５の何れかに記載の画像形成装置。
【請求項７】
請求項１から請求項６の何れかに記載の１または２以上の画像形成装置と、
通信手段を介して前記画像形成装置と接続される１または２以上の情報処理装置と、
から構成されることを特徴とする画像形成システム。
【請求項８】
像保持体の表面を所定の電位に一様に帯電させる帯電処理過程と、
前記像保持体の表面を露光する露光処理過程と、
前記帯電処理過程により帯電された後に露光されて前記像保持体表面に形成された静電潜像を現像する現像処理過程と、
現像された画像を被転写体に転写する転写処理過程と、
画像不具合が発生する予め設定された位置またはタイミングに基づいて、帯電バイアス、現像バイアスおよび転写バイアスの少なくとも一つの電圧乃至電流を変化させる制御処理過程と、
を演算手段に実行させることを特徴とする画像形成プログラム。
【請求項９】
前記転写処理過程による転写に先だって、前記像保持体上に現像された画像を帯電させる転写前帯電処理過程と、
をさらに有し、
前記制御処理過程は、
画像不具合が発生する予め設定された位置またはタイミングに基づいて、前記現像剤の電荷量が均一となるように転写前帯電バイアスの電圧乃至電流を増加させることを特徴とする請求項８に記載の画像形成プログラム。
【発明の詳細な説明】
【技術分野】
【０００１】
本発明は、画像形成装置、画像形成システムおよび画像形成プログラムに関するものである。
【背景技術】
【０００２】
電子写真方式を用いた複写機、プリンタ等の画像形成装置では、例えばドラム状に形成された感光体（感光体ドラム）を一様に帯電し、この感光体ドラムを画像情報に基づいて制御された光で露光して感光体ドラム上に静電潜像を形成する。
【０００３】
そして、この静電潜像を現像剤としてのトナーによって可視像（トナー像）とし、転写装置によってこのトナー像を感光体ドラム上から転写材に転写した後、定着装置により加熱および加圧することでトナー像を印刷用紙等の転写材に定着している。
【０００４】
上述のような画像形成装置に用いられる転写装置として、転写搬送ベルトを感光体ドラムに当接させて、この転写搬送ベルトと感光体ドラムとの当接領域（ニップ部）に転写材を挟持させるとともに、転写搬送ベルトに対してバイアスロールから転写バイアスを印加して、感光体ドラム上のトナー像を静電的に転写する転写方式を採用したものが開発されている。
【０００５】
このような画像形成装置の構成は、例えば特開２００６−９１０７９号公報等に開示されている。
【特許文献１】特開２００６−９１０７９号公報
【発明の開示】
【発明が解決しようとする課題】
【０００６】
本発明は、転写不良を抑制した良好な転写画像を得ることができる画像形成装置、画像形成システムおよび画像形成プログラムを提供することを目的とする。
【課題を解決するための手段】
【０００７】
前記課題を解決するため、請求項１の発明に係る画像形成装置は、像保持体の表面を所定の電位に一様に帯電させる帯電手段と、該帯電手段に帯電バイアスを印加する帯電バイアス電源と、前記像保持体の表面を露光する露光手段と、前記帯電手段により帯電された後に前記露光手段によって露光されて前記像保持体表面に形成された静電潜像を現像剤を用いて現像する現像手段と、前記現像手段が所定の電位となるように現像バイアスを印加する現像バイアス電源と、該現像された画像を被転写体に転写する転写手段と、前記転写手段が所定の電位となるように現像バイアスを印加する転写バイアス電源と、画像不具合が発生する予め設定された位置またはタイミングに基づいて、前記帯電バイアス、前記現像バイアスおよび前記転写バイアスの少なくとも一つの電圧乃至電流を変化させるように前記帯電バイアス電源、前記現像バイアス電源または前記転写バイアス電源を制御する制御手段とを備えることを特徴とする。
【０００８】
請求項２の発明に係る画像形成装置は、請求項１に記載の発明について、前記制御手段は、見かけ上の現像濃度を上げるように前記現像バイアスの電圧を増加させることを特徴とする。
【０００９】
請求項３の発明に係る画像形成装置は、請求項１または請求項２の何れかに記載の発明について、前記制御手段は、前記転写手段による画像転写の過多が抑制されるように転写バイアスの電圧乃至電流を低下させることを特徴とする。
【００１０】
請求項４の発明に係る画像形成装置は、請求項１から請求項３の何れかに記載の発明について、前記転写手段による転写に先だって、前記像保持体上において前記現像剤で現像された画像を帯電させる転写前帯電手段と、該転写前帯電手段に転写前帯電バイアスを印加する転写前帯電バイアス電源とをさらに備え、前記制御手段は、画像不具合が発生する予め設定された位置またはタイミングに基づいて、前記現像剤の電荷量が均一となるように前記転写前帯電バイアスの電圧乃至電流を増加させることを特徴とする。
【００１１】
請求項５の発明に係る画像形成装置は、請求項１から請求項４の何れかに記載の発明について、前記被転写体は、厚手の用紙であることを特徴とする。
【００１２】
請求項６の発明に係る画像形成装置は、請求項１から請求項５の何れかに記載の発明について、前記制御手段による制御は、高湿条件下で行われることを特徴とする。
【００１３】
請求項７の発明に係る画像形成システムは、請求項１から請求項６の何れかに記載の１または２以上の画像形成装置と、通信手段を介して前記画像形成装置と接続される１または２以上の情報処理装置とから構成されることを特徴とする。
【００１４】
請求項８の発明に係る画像形成プログラムは、像保持体の表面を所定の電位に一様に帯電させる帯電処理過程と、前記像保持体の表面を露光する露光処理過程と、前記帯電処理過程により帯電された後に露光されて前記像保持体表面に形成された静電潜像を現像する現像処理過程と、現像された画像を被転写体に転写する転写処理過程と、画像不具合が発生する予め設定された位置またはタイミングに基づいて、帯電バイアス、現像バイアスおよび転写バイアスの少なくとも一つの電圧乃至電流を変化させる制御処理過程とを演算手段に実行させることを特徴とする。
【００１５】
請求項９の発明に係る画像形成プログラムは、請求項８に記載の発明について、前記転写処理過程による転写に先だって、前記像保持体上に現像された画像を帯電させる転写前帯電処理過程とをさらに有し、前記制御処理過程は、画像不具合が発生する予め設定された位置またはタイミングに基づいて、前記現像剤の電荷量が均一となるように転写前帯電バイアスの電圧乃至電流を増加させることを特徴とする。
【発明の効果】
【００１６】
本発明によれば以下の効果を奏することができる。
【００１７】
すなわち、請求項１に記載の発明によれば、本構成を有していない場合に比較して、画像不具合が発生する予め設定された位置またはタイミングで、帯電バイアス、現像バイアスおよび転写バイアスの少なくとも一つの電圧乃至電流を変化させることにより、濃度低下等の転写不良を抑制した良好な転写画像を得ることができるという効果がある。
【００１８】
請求項２に記載の発明によれば、本構成を有していない場合に比較して、現像剤の電荷量が均一となるように現像バイアスの電圧を増加させて、転写不良を抑制したより良好な転写画像を得ることができる。
【００１９】
請求項３に記載の発明によれば、本構成を有していない場合に比較して、転写手段による画像転写の過多が抑制されるように転写バイアスの電圧乃至電流を低下させて、転写不良を抑制したより良好な転写画像を得ることができる。
【００２０】
請求項４に記載の発明によれば、本構成を有していない場合に比較して、画像不具合が発生する予め設定された位置またはタイミングで、現像剤の電荷量が均一となるように転写前帯電バイアスの電圧を増加させて、転写不良を抑制したより良好な転写画像を得ることができる。
【００２１】
請求項５に記載の発明によれば、本構成を有していない場合に比較して、厚手の用紙を用いた場合にも転写不良を抑制したより良好な転写画像を得ることができる。
【００２２】
請求項６に記載の発明によれば、本構成を有していない場合に比較して、高湿条件下でも転写不良を抑制したより良好な転写画像を得ることができる。
【００２３】
請求項７に記載の発明によれば、本構成を有していない場合に比較して、濃度低下等の転写不良を抑制した良好な転写画像を得ることができるという効果がある。
【００２４】
請求項８に記載の発明によれば、本構成を有していない場合に比較して、画像不具合が発生する予め設定された位置またはタイミングで、帯電バイアス、現像バイアスおよび転写バイアスの少なくとも一つの電圧乃至電流を変化させることにより、濃度低下等の転写不良を抑制した良好な転写画像を得ることができるという効果がある。
【００２５】
請求項９に記載の発明によれば、本構成を有していない場合に比較して、画像不具合が発生する予め設定された位置またはタイミングで、現像剤の電荷量が均一となるように転写前帯電バイアスの電圧乃至電流を増加させて、転写不良を抑制したより良好な転写画像を得ることができる。
【発明を実施するための最良の形態】
【００２６】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２７】
図１から図４を参照して、本発明の実施の形態に係る画像形成装置ＰＲ１について説明する。
【００２８】
図１は本実施の形態が適用される画像形成装置ＰＲ１を示した概略構成図である。
【００２９】
図１に示す画像形成装置ＰＲ１は、矢印Ａ方向に回転するトナー像保持体の一例としての感光体ドラム１０（像保持体の一例）の周囲に、感光体ドラム１０を帯電する帯電器１１（帯電手段の一例）、感光体ドラム１０上に静電潜像を書込むレーザ露光器１２（（露光手段の一例）図中露光ビームは符号Ｂｍで示される）、トナーが収容されて感光体ドラム１０上の静電潜像をトナーにより可視像化する現像器１３（現像手段の一例）、転写部１５における静電転写に先立ち感光体ドラム１０上のトナー像を帯電する転写前帯電器１４（転写前帯電手段の一例）、感光体ドラム１０上に形成されたトナー像を転写部１５において転写材である記録媒体（印刷用紙）Ｐに転写する転写ユニット２０（転写手段の一例）、転写部１５の下流側において感光体ドラム１０に近接して配置された画像濃度の調整を行うための画像濃度センサ１８、静電転写後の残留トナーの帯電量を低減するクリーニング前帯電器１６、感光体ドラム１０上の残留トナーが除去されるドラムクリーナ１７等の電子写真用デバイスが配設されている。
【００３０】
また、印刷用紙Ｐに転写された未定着トナー像を定着する定着器６０、各装置（各部）の動作を制御するマイクロコンピュータ等で構成される制御部３０（制御手段の一例）を備えている。
【００３１】
本実施の形態に係る画像形成装置ＰＲ１における制御部３０は、画像不具合が発生する予め設定された位置またはタイミングに基づいて、帯電バイアス、現像バイアスおよび転写バイアスの少なくとも一つの電圧乃至電流を変化させるように帯電バイアス電源１００（図２参照）、現像バイアス電源２００（図２参照）または転写バイアス電源７０を制御する。
【００３２】
即ち、例えば図４に示すように、印刷用紙Ｐにおいて、現像器１３〜転写間＋転写〜定着器間距離に相当する位置に濃度低下（画像不具合）Ｗが発生する場合（発生原因等については、後述する）には、例えば、制御部３０は、現像剤としての見かけ上の現像濃度が上昇するように現像バイアスの電圧を増加させるように制御する（図３のパターン（イ）参照）。
【００３３】
この場合には、例えば現像位置でイメージ先端から５２０ｍｓ相当経過後に５０ｍｓに渡って現像バイアスを上昇（例えば、ＡＣ電源を６ｋＶ→９ｋＶに上昇させたり、或いはＤＣ電源を−５１０Ｖ→−５６０Ｖにする）させて、現像性を上げる。
【００３４】
これにより、濃度低下（Ｗ）等の転写不良を抑制した良好な転写画像が得られる。
【００３５】
また、図３のパターン（ロ）に示すように、転写部１５による画像転写の過多が抑制されるように転写バイアスの電圧乃至電流を低下させてもよい。
【００３６】
即ち、例えば転写位置でイメージ先端から５２０ｍｓ相当経過後に５０ｍｓに渡って転写バイアスを降下（例えば、通常の８０％にする）させて、転写性を上げる。
【００３７】
これにより、濃度低下（Ｗ）等の転写不良を抑制した良好な転写画像が得られる。
【００３８】
さらにまた、図３のパターン（ハ）に示すように、現像剤としてのトナーの電荷量が均一となるように転写前帯電バイアスの電圧を増加させるように転写前帯電バイアス電源３００を制御するようにしてもよい。
【００３９】
即ち、例えば転写前帯電バイアス位置でイメージ先端から５２０ｍｓ相当経過後に５０ｍｓに渡って転写前帯電バイアスを上昇（例えば、通常の１２０％にする）させて、トナーの帯電量を上げる。
【００４０】
これにより、濃度低下（Ｗ）等の転写不良を抑制した良好な転写画像が得られる。
【００４１】
図１に戻って、転写ユニット２０は、駆動ロール２２とアイドルロール２３とによって張架された転写搬送ベルト２１と、転写搬送ベルト２１の内側であって、感光体ドラム１０と対向する位置近傍に配設され、転写搬送ベルト２１を介して感光体ドラム１０に圧接される転写ロール２４とを備えている。
【００４２】
そして、転写部１５に搬送されて来る印刷用紙Ｐに感光体ドラム１０上のトナー像を転写する機能と、転写部１５においてトナー像が転写された印刷用紙Ｐを定着器６０まで搬送する機能とを有している。
【００４３】
また、本実施の形態に係る画像形成装置ＰＲ１は、用紙搬送系として、印刷用紙Ｐを収容する用紙トレイ５０、この用紙トレイ５０に集積された印刷用紙Ｐを所定のタイミングで取り出して搬送するピックアップロール５１、ピックアップロール５１により繰り出された印刷用紙Ｐを搬送する搬送ロール５２、搬送された印刷用紙Ｐを所定のタイミングで転写部１５に送り込むレジストロール５４、搬送ロール５２により搬送された印刷用紙Ｐをレジストロール５４に導く搬送シュート５３、レジストロール５４から送り出された印刷用紙Ｐを転写部１５に導くインレットシュート５５、転写ユニット２０によりトナー像が転写されて搬送されてくる印刷用紙Ｐを定着器６０へ導く定着入口ガイド５６を備えている。
【００４４】
次に、本実施の形態に係る画像形成装置ＰＲ１の基本的な作像プロセスについて説明する。
【００４５】
図１に示すような画像形成装置ＰＲ１では、図示しない画像読取装置や図示しないパーソナルコンピュータ等から出力される画像データは、図示しない画像処理装置により所定の画像処理が施される。
【００４６】
画像処理装置では、入力された反射率データに対して、シェーディング補正、位置ズレ補正、ガンマ補正、枠消し編集、移動編集等の各種画像編集等の所定の画像処理が施される。画像処理が施された画像データは、レーザ露光器１２に出力される。
【００４７】
レーザ露光器１２では、入力された画像データに応じて、例えば半導体レーザから出射された露光ビームＢｍを感光体ドラム１０に照射している。
【００４８】
感光体ドラム１０では、スコロトロンからなる帯電器１１によって表面が所定の帯電電位（例えば、−７５０Ｖ）に帯電された後、このレーザ露光器１２によって表面が走査露光され、静電潜像が形成される。
【００４９】
形成された静電潜像は、現像器１３によりマイナス帯電されたトナーが反転現像される。
【００５０】
ここで、本実施の形態に係る画像形成装置ＰＲ１では、所定のサイクル毎にセットアップサイクルが実行される。即ち、実際の画像形成動作に先立って、所定のパッチ領域が所定の条件で現像される。
【００５１】
その際には、転写ユニット２０の転写搬送ベルト２１は感光体ドラム１０から離隔した状態に設定される。
【００５２】
この状態で、現像されたパッチ領域は転写部１５をそのまま通過し、転写部１５の下流側に配設された画像濃度センサ１８によってパッチ領域のトナー像の濃度が計測される。
【００５３】
画像濃度センサ１８によって計測されたトナー濃度信号は制御部３０に送られる。そして、画像濃度センサ１８からの信号に基づく制御部３０からの指示により、帯電器１１による感光体ドラム１０の帯電電位または現像器１３に印加される現像バイアス値が調整され、所定の画像濃度が維持されるように設定されることとなる。
【００５４】
次に、実際の画像形成動作時おいては、感光体ドラム１０上に形成されたトナー像が感光体ドラム１０と転写ユニット２０とが当接する転写部１５に搬送されると、用紙搬送系では、トナー像が転写部１５に搬送されるタイミングに合わせてピックアップロール５１が回転し、用紙トレイ５０から所定サイズの印刷用紙Ｐが供給される。ピックアップロール５１により供給された印刷用紙Ｐは、搬送ロール５２により搬送され、搬送シュート５３を経てレジストロール５４に到達する。
【００５５】
このレジストロール５４においては、印刷用紙Ｐは一旦停止され、トナー像が保持された感光体ドラム１０の移動タイミングに合わせてレジストロール５４が回転する。それによって、印刷用紙Ｐの位置とトナー像の位置との位置合わせがなされ、印刷用紙Ｐはインレットシュート５５から転写部１５に送り出される。
【００５６】
転写部１５では、タイミングを合わせて搬送された印刷用紙Ｐが、転写ユニット２０の転写搬送ベルト２１を介して感光体ドラム１０と転写ロール２４との間に挟み込まれる。
【００５７】
その際に、転写ロール２４にはトナーの帯電極性（ここでは、マイナス極性）と反対極性の電圧乃至電流（転写バイアス）が印加されることで、転写ロール２４から転写搬送ベルト２１に感光体ドラム１０上のトナー帯電極性とは反対極性の電荷が付与される。
【００５８】
それにより、感光体ドラム１０上に保持された未定着トナー像は、感光体ドラム１０と転写ロール２４とによって押圧される転写部１５において、印刷用紙Ｐ上に静電転写される。
【００５９】
なお、このとき、転写ロール２４には最適な転写バイアスが定電流方式で印加される。
【００６０】
また、その際の転写ロール２４から供給される最適な転写電流は、プロセススピード、温度や湿度といった環境条件、印刷用紙Ｐの種類等によっても異なるが、例えば４０〜１２０μＡである。
【００６１】
さらに、上述のように、例えば転写位置でイメージ先端から５２０ｍｓ相当経過後に５０ｍｓに渡って転写バイアスを降下（例えば、通常の８０％にする）させて、転写性を上げるなどの制御がなされる。
【００６２】
これにより、濃度低下（Ｗ）等の転写不良を抑制した良好な転写画像が得られる。
【００６３】
その後、トナー像が静電転写された印刷用紙Ｐは、転写ユニット２０の転写搬送ベルト２１に静電吸着された状態で感光体ドラム１０から剥離されて搬送され、転写ユニット２０の印刷用紙Ｐ搬送方向下流側に設けられた定着器６０まで送られる。
【００６４】
なお、印刷用紙Ｐが感光体ドラム１０から剥離されず、感光体ドラム１０に吸着されたままの状態となった場合には、転写部１５の下流側の感光体ドラム１０表面近傍に配設された分離爪（図示せず）によって、印刷用紙Ｐは感光体ドラム１０から分離され、転写搬送ベルト２１に静電吸着されるように構成されている。
【００６５】
また、転写搬送ベルト２１の定着器６０側の後端部では、転写搬送ベルト２１が駆動ロール２２に巻き付く際の曲率、および印刷用紙Ｐのコシによって、印刷用紙Ｐは転写搬送ベルト２１から剥離される。そして、印刷用紙Ｐは、定着入口ガイド５６に導かれて定着器６０に搬送される。
【００６６】
定着器６０に搬送された印刷用紙Ｐ上の未定着トナー像は、定着器６０において熱および圧力による定着処理を受けることによって印刷用紙Ｐ上に定着される。
【００６７】
そして、定着画像が形成された印刷用紙Ｐは、画像形成装置ＰＲ１の排出部に設けられた排紙載置部に搬送され、一連の画像形成動作が完了する。
【００６８】
なお、本実施の形態に係る画像形成装置ＰＲ１では、単色のトナー画像を形成する構成としたが、本発明は、例えばイエロー、マゼンタ、シアン、ブラックのトナー像を重ね合わせてカラートナー画像を形成するカラー画像形成装置に適用することも可能である。
【００６９】
ここで、上述のように、印刷用紙Ｐにおいて、特定の位置に発生する濃度低下（画像不具合）Ｗについて、本発明を適用しない画像形成装置を比較対象として述べる。
【００７０】
比較対象としての画像形成装置において、厚紙（例えば２５０〜２７０ｇｓｍ）の印刷用紙Ｐ（例えばＡ４サイズ）を用いた場合に、印刷用紙Ｐの後端部に例えば図４に示すような濃度低下Ｗが発生していた。
【００７１】
本発明者等の実験によれば、この濃度低下Ｗは、Ａ３サイズでは軽微であり、普通紙（厚さが例えば６５〜７０ｇｓｍ）では発生しなかった。また、濃度低下Ｗの発生位置は、定着器突入時の現像位置に相当することが判明した。
【００７２】
その後、詳細なデータ収集を行い、分析を行った結果、上記のような濃度低下Ｗの発生メカニズムは、厚紙用紙の定着器突入時の衝撃により感光体ドラム１０が振動して状態が変化し、現像性低下（現像量の低下ではなく、主としてトナー帯電量の低下であると推定される）が発生し、転写部１５における電流過多により、トナーに電荷注入し、逆極性化して転写不良（濃度低下）となるものと考えられる。
【００７３】
本発明者は、このような考察に基づいて、
（１）発生相当位置の現像バイアスを上昇させ、見かけ上の現像濃度を上げる。
（２）発生相当位置の転写バイアスを降下させ、転写過多を防止する。
（３）発生相当位置の転写前帯電バイアスを上昇させ、トナー電荷量を均一にする。
【００７４】
という対応措置を案出した。
【００７５】
これらの対応措置を画像形成装置ＰＲ１に具体的に適用したのが、上述の（イ）〜（ハ）の３種類の制御パターンである（図３参照）。
【００７６】
これにより、例えば、厚紙（例えば２５０〜２７０ｇｓｍ）の印刷用紙を用いた場合や、高湿度（例えば湿度７０％以上）の条件下であっても濃度低下（Ｗ）等の転写不良を抑制した良好な転写画像が得られる。
【００７７】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００７８】
例えば、図３に示す制御パターン（イ）〜（ハ）の何れにおいても、各バイアスを段階的に上昇（図５の（ａ））させたり、段階的に下降（図５の（ｂ））させるようにしてもよい。これにより、より精密なバイアス制御を行うことができ、画質が一層向上される。
【００７９】
また、プログラムを用いる場合には、ネットワークを介して提供し、或いはＣＤ−ＲＯＭ等の記録媒体に格納して提供することが可能である。
【００８０】
即ち、画像処理プログラムを含む所定のプログラムを記録媒体としてのハードディスク等の記憶装置に記録する場合に限らず、当該所定のプログラムを次のようにして提供することも可能である。
【００８１】
例えば、所定のプログラムをＲＯＭに格納しておき、ＣＰＵが、この所定のプログラムをこのＲＯＭから主記憶装置へローディングして実行するようにしてもよい。
【００８２】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【００８３】
さらには、画像処理装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【００８４】
なお、現像バイアスは、定電圧制御であるが、転写前バイアスと転写バイアスは、定電圧制御と定電流制御の場合がある。
【産業上の利用可能性】
【００８５】
本発明による画像形成装置、画像形成システムおよび画像形成プログラムは、複写装置、レーザプリンタ、フルカラープリンタ、複合機、ファクシミリ装置等に適用することができる。
【図面の簡単な説明】
【００８６】
【図１】実施の形態に係る画像形成装置ＰＲ１の構成を示す概略構成図である。
【図２】画像形成装置ＰＲ１の要部を示す機能ブロック図である。
【図３】画像形成装置ＰＲ１における制御パターンを示すタイムチャートである。
【図４】濃度低下（Ｗ）の発生状態を示す説明図である。
【図５】バイアスの段階的な上昇または降下を示す説明図である。
【符号の説明】
【００８７】
ＰＲ１  画像形成装置
Ｐ  印刷用紙
Ｗ  濃度低下（画像不具合）
１０  感光体ドラム
１１  帯電器
１２  レーザ露光器
１３  現像器
１４  転写前帯電器
１５  転写部
１６  クリーニング前帯電器
１７  ドラムクリーナ
１８  画像濃度センサ
２０  転写ユニット
２１  転写搬送ベルト
２２  駆動ロール
２３  アイドルロール
２４  転写ロール
３０  制御部
５０  用紙トレイ
５１  ピックアップロール
５２  搬送ロール
５３  搬送シュート
５４  レジストロール
５５  インレットシュート
５６  定着入口ガイド
６０  定着器
７０  転写バイアス電源
１００  帯電バイアス電源
２００  現像バイアス電源
３００  転写前帯電バイアス電源
【図１】
2010122432.tif 000003
【図２】
2010122432.tif 000004
【図３】
2010122432.tif 000005
【図５】
2010122432.tif 000006
【図４】
2010122432.tif 000007